(57)【要約】【課題】コンパクトでありながらも、光学素子の調整を容易に行える光ピックアップ装置及びその組立方法を提供する。【解決手段】治具Ｊの二股フォーク状の支持部Ｊ１を、平坦部１３ｃにガイドされつつフランジ部１３ｂの下方に位置するように挿入する。すると、図５に示すように、フランジ部１３ｂの下面に治具Ｊの支持部Ｊ１が係合するようになるので、そのまま治具Ｊを上昇させることにより、重力に抗してホルダ１３を保持し、ホルダ１３毎コリメートレンズ１２及びλ／４波長板１１を上昇させることができる。【選択図】図１
2009054216.tif 000002
【特許請求の範囲】
【請求項１】
光源と、前記光源からの出射光を反射させる立上げミラーと、対物光学素子を含む集光光学系からなる光ピックアップ装置であって、
ハウジングと、
前記立上げミラーと前記対物光学素子との間に配置された光学素子を含む光学素子ユニットと、を有し、
前記ハウジングに対して載置された前記光学素子ユニットに向かって、保持用の治具を外部から挿入したときに、前記治具に係合することによって自重に抗して前記治具により保持されるようになっている係合部を、前記光学素子ユニットに形成したことを特徴とする光ピックアップ装置。
【請求項２】
前記光学素子ユニットは、前記光学素子を保持するホルダを含むことを特徴とする請求項１に記載の光ピックアップ装置。
【請求項３】
前記光学素子ユニットを前記治具で保持しながら、前記光学素子と前記対物光学素子との相対位置調整を行うことを特徴とする請求項１又は２に記載の光ピックアップ装置。
【請求項４】
前記ハウジングは凹部を有し、前記係合部は、前記光学素子ユニットが前記凹部内に配置された状態で、挿入される前記治具に対して重力方向上方に位置することを特徴とする請求項１〜３のいずれかに記載の光ピックアップ装置。
【請求項５】
前記係合部と前記治具との間に生じる磁力により、前記光学素子ユニットは自重に抗して前記治具により保持されることを特徴とする請求項１〜３のいずれかに記載の光ピックアップ装置。
【請求項６】
光源と、前記光源からの出射光を反射させる立上げミラーと、対物光学素子を含む集光光学系と、前記立上げミラーと前記対物光学素子との間に配置された光学素子とを有する光ピックアップ装置の組立方法であって、
前記立ち上げミラーと前記対物光学素子との間に配置された光学素子、又はそれを保持するホルダに形成された係合部に向かって治具を近接させる工程と、
前記治具を前記係合部に係合させることによって、自重に抗しながら前記光学素子を保持しつつ、前記光学素子と前記対物光学素子との相対位置調整を行うステップと、
前記光学素子又は前記ホルダをハウジングに接着剤で固定するステップと、
前記治具を前記係合部から離脱させるステップと、を有することを特徴とする光ピックアップ装置の組立方法。
【発明の詳細な説明】
【技術分野】
【０００１】
本発明は、光ピックアップ装置及び光ピックアップ装置の組立方法に関し、特に、高密度光ディスクに対して情報の記録及び／又は再生を行うことができ、コンパクトな構成を有する光ピックアップ装置及びその組立方法に関する。
【背景技術】
【０００２】
ＣＤやＤＶＤに代表される光ディスクに対して、情報の記録及び／又は再生を行える光ピックアップ装置が開発されている。また、波長４００ｎｍ程度の青紫色半導体レーザを用いて、Ｂｌｕ−ｒａｙ  ＤｉｓｃやＨＤ  ＤＶＤなどの高密度光ディスクに情報の記録及び／又は再生を行える光ピックアップ装置の開発も急速に進んでいる。
【特許文献１】特開平０９−４４８９１号公報
【特許文献２】実開平０５−２１３２３号公報
【発明の開示】
【発明が解決しようとする課題】
【０００３】
ところで、高密度光ディスクに対して情報の記録及び／又は再生を行う場合、４００ｎｍ前後の光束を出射する半導体レーザを用いることが多いが、上市されている半導体レーザは、出射光束の波長が基準波長に対して大きくばらつくという問題がある。出射光束の波長が基準波長に対して大きくシフトすると、集光スポットに球面収差が発生し、波長のばらつきに相応して光ピックアップ装置個々で記録／再生性能がばらつき、これが問題となる恐れがある。また、光ピックアップ装置の集光光学系を構成する光学素子、特に対物光学素子については、製造誤差に起因する球面収差を生じやすく、これが記録／再生性能を劣化させる要因となる場合がある。このような球面収差を補正する一つの方法として、組立時に半導体レーザを集光光学系の光軸方向に位置調整することも考えられる。
【０００４】
しかしながら、半導体レーザを光軸方向に動かすと、光検出器上における光ディスクからの反射光の光軸方向の集光位置もずれてしまう。このずれを、光ディスク反射光を光検出器に集光するサーボレンズの位置を調整して修正することもできるが、それにより光ディスクから光検出器に至る光学系の倍率が変わってしまうという問題がある。
【０００５】
一方、光検出器自体を光軸方向に調整して修正することもできるが、光検出器は光軸直交方向の位置調整も必要なことから、光ピックアップ本体に対して接着材のみによって保持しなくてはならず、その結果、前述の球面収差のばらつきに相応して光ピックアップ本体と光検出器との距離にばらつきが生じ、温度等の環境変化に対する光検出器の位置の安定性について、光ピックアップ個々で差が生じるという問題がある。
【０００６】
また、光ピックアップ装置全体での球面収差の補正は、実際に光ディスクの情報記録面で反射した光束を、対物光学素子を含む集光光学系を介して光検出器で受光して、その信号を利用して行うことが好ましいが、半導体レーザの光軸方向の調整を行う場合、光軸直交方向の動きも光検出器上の光スポットの動きとなるため、信号が安定せず調整が困難となる問題がある。
【０００７】
これに対し、例えば光ピックアップ装置の組立時に、コリメートレンズを光軸方向位置を調整して対物光学素子に入射させる光束の発散度を変更することにより、光ディスクの情報記録面における球面収差の量を許容範囲に収めることも考えられる。
【０００８】
ここで、コリメートレンズを光ピックアップ装置に設ける場合、コリメートレンズの焦点距離が長い方が、半導体レーザとコリメートレンズとの位置関係における誤差感度上有利であり、コリメートレンズを対物光学素子と立上げミラーの間に配置すれば、長焦点距離のコリメートレンズを用いながらコンパクトなレイアウトが可能となる。光ディスクの情報記録面に直交する方向における寸法の許容度が比較的大きな光ピックアップ装置では、このようなレイアウトを選ぶ場合が多い（特許文献１参照）。
【０００９】
また、このようなレイアウトでは、半導体レーザからの光束が光ディスクへ向かう系（往路）と、光ディスクからの反射光が光検出器へ向かう系（復路）との共通光路中にコリメートレンズを設けるので、球面収差の補正のためにコリメートレンズを光軸方向に動かしても、光検出器を光軸方向に動かして修正する必要がないので、前述した半導体レーザを動かしたときの問題を回避できるメリットがある。
【００１０】
ここで、どのようにしてコリメートレンズの位置調整を行うかという問題がある。これに対し、特許文献２には、押え具を用いてコリメートレンズ枠を半固定し、調整治具を回転操作することで、レンズ枠を移動させ、コリメートレンズの光軸方向位置を合わせる技術が開示されている。しかしながら、かかる従来技術によれば、本来的にコリメートレンズの調整のためにしか用いない押え具を光ピックアップ装置に搭載することとなる、従って、この技術を、立ち上げミラーと対物光学素子との間にコリメートレンズを配置する光ピックアップ装置に適用すると、立ち上げミラーと対物光学素子との距離が長くなって、薄形化が図れないという問題がある。
【００１１】
本発明は、かかる問題点に鑑みて成されたものであり、コンパクトでありながらも、光学素子の調整を容易に行える光ピックアップ装置及びその組立方法を提供することを目的とする。
【課題を解決するための手段】
【００１２】
請求項１に記載の光ピックアップ装置は、光源と、前記光源からの出射光を反射させる立上げミラーと、対物光学素子を含む集光光学系からなる光ピックアップ装置であって、
ハウジングと、
前記立上げミラーと前記対物光学素子との間に配置された光学素子を含む光学素子ユニットと、を有し、
前記ハウジングに対して載置された前記光学素子ユニットに向かって、保持用の治具を外部から挿入したときに、前記治具に係合することによって自重に抗して前記治具により保持されるようになっている係合部を、前記光学素子ユニットに形成したことを特徴とする。
【００１３】
本発明によれば、前記ハウジングに対して載置された前記光学素子ユニットに向かって、保持用の治具を外部から挿入したときに、前記治具に係合することによって自重に抗して前記治具により保持されるようになっている係合部を、前記光学素子ユニットに形成したので、光ピックアップ装置の組付時に、例えば前記治具により前記光学素子ユニットを保持することによって、前記対物光学素子に対する前記光学素子の位置決めを行うことが出来、その後前記光学素子を前記ハウジングに固定してしまえば、前記治具は不要となるため前記係合部から離脱させることができ、これにより前記光ピックアップ装置のコンパクト化を実現できる。ここで、「光学素子」には、コリメートレンズ、波長板、液晶素子、ホログラム素子、回折素子、複合素子などが含まれる。
【００１４】
請求項２に記載の光ピックアップ装置は、請求項１に記載の発明において、前記光学素子ユニットは、前記光学素子を保持するホルダを含むことを特徴とする。但し、前記前記光学素子ユニットは、前記光学素子のみから形成されていても良い。
【００１５】
請求項３に記載の光ピックアップ装置は、請求項１又は２に記載の発明において、前記光学素子ユニットを前記治具で保持しながら、前記光学素子と前記対物光学素子との相対位置調整を行うことを特徴とする。
【００１６】
請求項４に記載の光ピックアップ装置は、請求項１〜３のいずれかに記載の発明において、前記ハウジングは凹部を有し、前記係合部は、前記光学素子ユニットが前記凹部内に配置された状態で、挿入される前記治具に対して重力方向上方に位置することを特徴とするので、前記光学素子を重力に抗して保持することができる。従って係合部は、フランジ部、突起、孔、溝など、種々の構造が考えられる。
【００１７】
請求項５に記載の光ピックアップ装置は、請求項１〜３のいずれかに記載の発明において、前記係合部と前記治具との間に生じる磁力により、前記光学素子ユニットは自重に抗して前記治具により保持されることを特徴とするので、例え前記係合部は外部から見えない位置にあっても、前記光学素子を重力に抗して保持することができる。
【００１８】
請求項６に記載の光ピックアップ装置の組立方法は、光源と、前記光源からの出射光を反射させる立上げミラーと、対物光学素子を含む集光光学系と、前記立上げミラーと前記対物光学素子との間に配置された光学素子とを有する光ピックアップ装置の組立方法であって、
前記立ち上げミラーと前記対物光学素子との間に配置された光学素子、又はそれを保持するホルダに形成された係合部に向かって治具を近接させる工程と、
前記治具を前記係合部に係合させることによって、自重に抗しながら前記光学素子を保持しつつ、前記光学素子と前記対物光学素子との相対位置調整を行うステップと、
前記光学素子又は前記ホルダをハウジングに接着剤で固定するステップと、
前記治具を前記係合部から離脱させるステップと、を有することを特徴とする。
【００１９】
本発明によれば、前記立ち上げミラーと前記対物光学素子との間に配置された光学素子、又はそれを保持するホルダに形成された係合部に向かって治具を近接させることにより、前記治具を前記係合部に係合させることができ、これにより自重に抗しながら前記光学素子を保持しつつ、前記光学素子と前記対物光学素子との相対位置調整を行うことができるため、その後前記光学素子を直接または前記ホルダを介して前記ハウジングに接着してしまえば、前記治具は不要となるため前記係合部から離脱させることができ、これにより前記光ピックアップ装置のコンパクト化を実現できる。
【発明の効果】
【００２０】
本発明によれば、コンパクトでありながらも、光学素子の調整を容易に行える光ピックアップ装置及びその組立方法を提供することができる。
【発明を実施するための最良の形態】
【００２１】
以下、図面を参照して、本発明の実施の形態をさらに詳細に説明する。図１は、本実施の形態にかかる光ピックアップ装置の斜視図である。図２は、図１の構成をII-II線を含む面で切断して矢印方向に見た図である。図１２は、図１の構成をXII-XII線を含む面で切断して矢印方向に見た図である。図において、板状のハウジング１は、平行する２本のガイド軸（不図示）に挿通される孔１ａと切欠１ｂとを有しており、ガイド軸に沿って移動可能となっている。本実施の形態の光ピックアップ装置は、ＨＤ  ＤＶＤ、ＤＶＤ、ＣＤの３種類の光ディスクに対して情報の再生を行えるようになっているが、トラッキング用の光束を生成する回折格子等を追加することにより、情報の記録も行うことが可能である。更に、少なくともその内の１種類の光ディスクに対して情報の記録／再生を行うことができれば足りる。
【００２２】
ハウジング１上には、筐体２が固定されている。筐体２には、片側で３本ずつ、合計６本のワイヤ４の一端が固定されており、水平に延在するワイヤ４の他端は、筐体状のボビン５の両側面に取り付けられている。ワイヤ４は、ハウジング１に対してボビン５を移動可能に支持する機能と、不図示の配線が接続される筐体２から、コイルに対して給電するための機能とを有する。なお、筐体２内には、ワイヤ４のダンピング効果のあるジェル（不図示）が充填されていると好ましい。
【００２３】
ハウジング１に対して可動となっている樹脂製のボビン５は、中央の円形開口（不図示）内に対物光学素子６を装着している。この対物光学素子６は、光ピックアップ装置において、光ディスクの情報記録面にレーザ光束を集光するために用いられる。
【００２４】
ボビン５の両側には、ハウジング１に植設されたヨーク７、８に裏打ちされた磁石９，１０が配置されている。ボビン５内には、磁石９，１０に対向するようにしてコイル（不図示）が配置されている。ワイヤ４，ボビン５，ヨーク７、８、磁石９，１０によりアクチュエータを構成する。
【００２５】
図２において、ボビン５の下方には、光学素子であるλ／４波長板１１と、コリメートレンズ１２とが、円筒状のホルダ１３により保持されて配置されている。ここでは、λ／４波長板１１、コリメートレンズ１２、ホルダ１３により光学素子ユニットを構成する。ホルダ１３は、ハウジング１に形成された円筒状の凹部１ｃに嵌合して接着剤で固定されている。凹部１ｃの上縁には、接着剤充填用の切欠１ｄ（図１）が形成されてる。コリメートレンズ１２に下方には、立ち上げミラー１４が配置され、ハウジング１内に配置された半導体レーザ３５又は２レーザ１パッケージ３４（図１２）からの光束を、コリメートレンズ１２，λ／４波長板１１を介して、対物光学素子６に入射させるようになっている。
【００２６】
図３は、コリメートレンズ等を保持したホルダの拡大斜視図であり、図４は、図３の構成の断面図である。図３において、例えば樹脂製（又は鉄製）のホルダ１３は、中空円筒状の円筒部１３ａと、円筒部１３ａから半径方向に延在する外側フランジ部１３ｂとを一体的に形成してなる。円筒部１３ａの外側側面において、平行な２面で削ぎ落としたような一対の平坦部１３ｃが形成されている。平坦部１３ｃは、後述する治具Ｊの支持部Ｊ１が挿入される際のガイドの機能、及びホルダ１３を介してλ／４波長板１１の光軸回りの位相決めを行う機能を有する。ホルダ１３の上部の切欠１３ｅは、装着されたλ／４波長板１１の角部に係合することにより、λ／４波長板１１とホルダ１３との回転方向の位置決めを確保する機能を有する。尚、フランジ部１３ｂの位置は、アクチュエータのヨーク７，８の上方であると好ましい。アクチュエータのヨーク７，８に、ホルダとの干渉を回避する逃げを設けても良い。
【００２７】
図４に示すように、円筒部１３ａ内には、軸線方向中央に内側フランジ部１３ｄが形成されており、ここに上面側から当接させるようにして、λ／４波長板１１が取り付けられている。一方、内側フランジ部１３ｄの下面側からフランジを当接させるようにして、コリメートレンズ１２が取り付けられている。
【００２８】
次に、本実施の形態にかかる光ピックアップ装置の動作について説明する。図２，１２において、ＨＤ  ＤＶＤから情報の再生を行う場合、光源である第１半導体レーザ３５を発光させると、そこから出射された波長４０５ｎｍ前後のレーザ光束は、青紫色用偏光ビームスプリッタ３６で反射され、更に立ち上げミラー１４で反射されるが、一部は立ち上げミラー１４を通過してパワーモニタ１５で検出される。立ち上げミラー１４で反射された光束は、コリメートレンズ１２，λ／４波長板１１を通過し、対物光学素子６を介して、ＨＤ  ＤＶＤの情報記録面に集光される。
【００２９】
ＨＤ  ＤＶＤの情報記録面から反射した光束は、対物光学素子６，λ／４波長板１１、コリメートレンズ１２を通過し、立ち上げミラー１４で反射され、青紫色用偏光ビームスプリッタ３６、偏光ビームスプリッタ３１を通過し、サーボレンズ３２を介して、光検出器３３に入射するので、その出力信号を用いて、ＨＤ  ＤＶＤから情報の再生を行うことができる。
【００３０】
ここで、光検出器３３上での光スポットの形状変化、強度分布変化を検出して、合焦検出やトラック検出を行う。この検出に基づいて、第１半導体レーザ３５からの光束をＨＤ  ＤＶＤの情報記録面上に結像するように、アクチュエータにより、対物光学素子６をボビン５と一体で、フォーカシング、トラッキング駆動できるようになっている。
【００３１】
ＤＶＤから情報の再生を行う場合、２レーザ１パッケージ３４内の第２半導体レーザを発光させると、そこから出射された波長６６０ｎｍ前後のレーザ光束は、ＣＤ用回折格子３７を通過し、偏光ビームスプリッタ３１で反射され、青紫色用偏光ビームスプリッタ３６を通過し、更に立ち上げミラー１４で反射されるが、一部は立ち上げミラー１４を通過してパワーモニタ１５で検出される。立ち上げミラー１４で反射された光束は、コリメートレンズ１２，λ／４波長板１１を通過し、対物光学素子６を介して、ＤＶＤの情報記録面に集光される。
【００３２】
ＤＶＤの情報記録面から反射した光束は、対物光学素子６，λ／４波長板１１、コリメートレンズ１２を通過し、立ち上げミラー１４で反射され、青紫色用偏光ビームスプリッタ３６、偏光ビームスプリッタ３１を通過し、サーボレンズ３２を介して、光検出器３３に入射するので、その出力信号を用いて、ＤＶＤから情報の再生を行うことができる。
【００３３】
ここで、光検出器３３上での光スポットの形状変化、強度分布変化を検出して、合焦検出やトラック検出を行う。この検出に基づいて、第２半導体レーザからの光束をＤＶＤの情報記録面上に結像するように、アクチュエータにより、対物光学素子６をボビン５と一体で、フォーカシング、トラッキング駆動できるようになっている。
【００３４】
ＣＤから情報の再生を行う場合、２レーザ１パッケージ３４内の第３半導体レーザを発光させると、そこから出射された波長７８５ｎｍ前後のレーザ光束は、ＣＤ用回折格子３７に入射して、トラッキング信号用の±１次回折光を生成する。かかるレーザ光束は、偏光ビームスプリッタ３１で反射され、青紫色用偏光ビームスプリッタ３６を通過し、更に立ち上げミラー１４で反射されるが、一部は立ち上げミラー１４を通過してパワーモニタ１５で検出される。立ち上げミラー１４で反射された光束は、コリメートレンズ１２，λ／４波長板１１を通過し、対物光学素子６を介して、ＣＤの情報記録面に集光される。
【００３５】
ＣＤの情報記録面から反射した光束は、対物光学素子６，λ／４波長板１１、コリメートレンズ１２を通過し、立ち上げミラー１４で反射され、青紫色用偏光ビームスプリッタ３６、偏光ビームスプリッタ３１を通過し、サーボレンズ３２を介して、光検出器３３に入射するので、その出力信号を用いて、ＣＤから情報の再生を行うことができる。
【００３６】
ここで、光検出器３３上での光スポットの形状変化、強度分布変化を検出して、合焦検出やトラック検出を行う。この検出に基づいて、第３半導体レーザからの光束をＣＤの情報記録面上に結像するように、アクチュエータにより、対物光学素子６をボビン５と一体で、フォーカシング、トラッキング駆動できるようになっている。
【００３７】
次に、本実施の形態にかかる光ピックアップ装置における組立時の調整について述べる。まず、λ／４波長板１１，コリメートレンズ１２を取り付けたホルダ１３を、ハウジング１の凹部１ｃに嵌合させる。凹部１ｃは半導体レーザ１５と精度良く位置決めされているので、ホルダ１３の嵌合により、半導体レーザ１５から出射される光束の中心と、コリメートレンズ１２の光軸とが一致する。ホルダ１３が凹部１ｃの底面に底付きした状態で、フランジ部１３ｂは、外部から見える状態にあって、ハウジング１の上面に対して隙間をあけた状態で配置される。
【００３８】
ここで、図１に示すように、治具Ｊの二股フォーク状の支持部Ｊ１を、平坦部１３ｃにガイドされつつフランジ部１３ｂの下方に位置するように挿入する。すると、図５に示すように、フランジ部１３ｂの下面に治具Ｊの支持部Ｊ１が係合するようになるので、そのまま治具Ｊを上昇させることにより、重力に抗してホルダ１３を保持しつつ、ホルダ１３毎コリメートレンズ１２及びλ／４波長板１１を上昇させることができる。更に、ホルダ１３を浮かせた状態で、まず対物光学素子６のチルト位置を調整する。続いて、半導体レーザ１５を発光させ、対物光学素子６を通過する光束を、光ディスクの位置に置かれた不図示の計測器で計測しながら、対物光学素子６とコリメートレンズ１２の距離とを所定距離だけ離すようにする。その後、凹部１ｃに形成された切欠１ｄ（図１）を介して外部から接着剤を充填し、ハウジング１にホルダ１３を固着する。固着後に、治具Ｊをホルダ１３から退避させる。
【００３９】
図６は、本実施の形態の変形例にかかるホルダの斜視図である。本変形例にかかるホルダ１３’は、フランジ部を設ける代わりに、円筒部１３ａの側面に、治具Ｊの支持部Ｊ１が係合できる一対の溝１３ｃ’を形成している。溝１３ｃ’が係合部を構成する。それ以外の構成については、上述した実施の形態と同様である。
【００４０】
図７は、本実施の形態の変形例にかかるコリメートレンズの斜視図である。図８は、変形例にかかるコリメートレンズを光軸方向に切断して示す図である。樹脂製のコリメートレンズ１２’は、レンズ部１２ａと、レンズ部１２ａの周囲に形成された中空円筒部１２ｂとを有する。中空円筒部１２ｂの外側側面において、平行な２面で削ぎ落としたような一対の平坦部１２ｃが形成されている。平坦部１２ｃの上部が、せり出した庇部１２ｄとなっている。尚、本変形例では、コリメートレンズ１２’のみにより光学素子ユニットを構成し、従って庇部１２ｄが係合部を構成する。
【００４１】
本変形例においては、コリメートレンズ１２’を直接ハウジング１の凹部１ｃに嵌合させる。コリメートレンズ１２’が凹部１ｃの底面に底付きした状態で、庇部１２ｄは、外部から見える状態にあって、ハウジング１の上面に対して隙間をあけた状態で配置される。尚、図示していないが、λ／４波長板は、コリメートレンズ１２と対物光学素子６との間においてハウジング１に固定される。
【００４２】
上述した実施の形態と同様に、治具Ｊの二股フォーク状の支持部Ｊ１を、平坦部１２ｃにガイドされつつ庇部１２ｄの下方に位置するように挿入する。これにより、庇部１２ｄの下面に治具Ｊの支持部Ｊ１が係合するようになるので、そのまま治具Ｊを上昇させることにより、重力に抗してコリメートレンズ１２を上昇させることができ、同様に位置調整を行うことができる。
【００４３】
図９は、別な実施の形態にかかるホルダの斜視図である。本実施の形態においては、ホルダ２３は、樹脂製である中空円筒部２３ａと、磁性体の一例である鉄製である２つの係合部２３ｂとを有している。より具体的には、端部に切欠を有する中空円筒部２３ａの外側側面において、平行な２面で削ぎ落としたような一対の平坦部２３ｃが形成され、その下方に形成された凹部２３ｄ内に、角柱状の係合部２３ｂが取り付けられている。
【００４４】
本実施の形態においては、治具Ｊは図１に示すものと形状は同様であるが、支持部Ｊ１が電磁石になっている。従って、治具Ｊの二股フォーク状の支持部Ｊ１を、平坦部２３ｃにガイドされつつ係合部２３ｂの上方に位置するように挿入し、その電磁石をオンとすると、支持部Ｊ１に係合部２３ｂが磁力により吸引されるので、そのまま治具Ｊを上昇させることにより、重力に抗してホルダ２３を保持し、ホルダ１３毎コリメートレンズ１２及びλ／４波長板１１を上昇させることができる。尚、本実施の形態においては、ホルダ２３を凹部１ｃ内にセットした状態で、係合部２３ｂが落ち込んでいて外部から直接見えなくても、磁力を用いて吸引するので問題はない。
【００４５】
図１０は、変形例にかかるホルダの斜視図である。本変形例にかかるホルダ２３’は、磁性体の一例である鉄製の係合部を設ける代わりに、全体を磁性体としている。尚、本変形例においても、上述した実施の形態と同様に平坦部２３ｃを形成しており、ここに治具Ｊの二股フォーク状の支持部Ｊ１を係合させるようになっているが、ホルダ２３’と対物光学素子６との間に、調整可能なスペースがある場合には、光が通過する開口を設けた板状の電磁石付き治具をホルダ２３’の上方に挿入して、ホルダ２３’を吸引により保持しても良い。
【００４６】
図１１は、本実施の形態の変形例にかかるコリメートレンズの斜視図である。本実施の形態においては、コリメートレンズ２２は、図７に示すものと類似した形状であるが、庇部２２ｄの下方に形成された平坦部２２ｃに、磁性体の一例である鉄製の係合部２２ｅを固着している点が異なる。治具Ｊの二股フォーク状の支持部Ｊ１を、コリメートレンズ２２の上方または係合部２２ｅに突き当てるように挿入し、その電磁石をオンとすると、支持部Ｊ１に係合部２２ｅが磁力により吸引されるので、そのまま治具Ｊを上昇させることにより、重力に抗してコリメートレンズ２２を上昇させることができる。尚、本変形例の場合、治具Ｊは必ずしも二股フォーク状の支持部Ｊ１を有している必要はなく、開口を設けた板状であっても良い。
【００４７】
以上、本発明を実施の形態を参照して説明してきたが、本発明は上記実施の形態に限定して解釈されるべきではなく、適宜変更・改良が可能であることはもちろんである。例えば、ハウジング１の凹部１ｃの内径に対して、ホルダ１３の外径と小さくし、治具Ｊを用いてホルダ１３を光軸直交方向に位置決めすることもできる。
【図面の簡単な説明】
【００４８】
【図１】本実施の形態にかかる光ピックアップ装置の斜視図である。
【図２】図１の構成をII-II線を含む面で切断して矢印方向に見た図である。
【図３】本実施の形態にかかるコリメートレンズ等を保持したホルダの拡大斜視図である。
【図４】図３の構成の断面図である。
【図５】治具でコリメートレンズを保持した状態を示す斜視図である。
【図６】本実施の形態の変形例にかかるホルダの斜視図である。
【図７】本実施の形態の変形例にかかるコリメートレンズの斜視図である。
【図８】変形例にかかるコリメートレンズを光軸方向に切断して示す図である。
【図９】別な実施の形態にかかるホルダの斜視図である。
【図１０】変形例にかかるホルダの斜視図である。
【図１１】本実施の形態の変形例にかかるコリメートレンズの斜視図である。
【図１２】図１の構成をXII-XII線を含む面で切断して矢印方向に見た図である。
【符号の説明】
【００４９】
１ ハウジング
１ａ 孔
１ｂ 切欠
１ｃ 凹部
１ｄ 切欠
２ 筐体
４ ワイヤ
５ ボビン
６ 対物光学素子
７，８ ヨーク
９，１０ 磁石
１１ λ／４波長板
１２、１２’ コリメートレンズ
１２ａ レンズ部
１２ｂ 中空円筒部
１２ｃ 平坦部
１２ｄ 庇部
１３、１３’ ホルダ
１３ａ 円筒部
１３ｂ フランジ部
１３ｂ 外側フランジ部
１３ｃ 平坦部
１３ｃ 溝
１３ｄ 内側フランジ部
１４ ミラー
１５ 半導体レーザ
２２ コリメートレンズ
２２ｄ 庇部
２２ｅ 係合部
２３ ホルダ
２３ａ 中空円筒部
２３ｂ 係合部
２３ｃ 平坦部
２３ｄ 凹部
３１ 偏光ビームスプリッタ
３２ サーボレンズ
３３ 光検出器
３４ ２レーザ１パッケージ
３５ 半導体レーザ
３６ 青紫色用偏光ビームスプリッタ
３７ ＣＤ用回折格子
Ｊ 治具
Ｊ１ 支持部
【図１】
2009054216.tif 000003
【図２】
2009054216.tif 000004
【図３】
2009054216.tif 000005
【図４】
2009054216.tif 000006
【図５】
2009054216.tif 000007
【図６】
2009054216.tif 000008
【図７】
2009054216.tif 000009
【図８】
2009054216.tif 000010
【図９】
2009054216.tif 000011
【図１０】
2009054216.tif 000012
【図１１】
2009054216.tif 000013
【図１２】
2009054216.tif 000014